【事件の表示】
　特許第３１７８０２２号「ミシン及び刺繍縫い用アタッチメント並びに刺繍縫い用アタッチメント付きミシン」の請求項１ないし１１に係る特許に対する特許異議の申立てについて、次のとおり決定する。
【結　論】
　訂正を認める。
　特許第３１７８０２２号の請求項１ないし１１に係る特許を維持する。
【理　由】
１．手続の経緯
　特許第３１７８０２２号の請求項１乃至１１に係る発明は、平成３年８月１２日に特許出願され、平成１３年４月１３日にその特許権の設定登録がなされ、その後、特許異議申立人ジューキ株式会社より特許異議の申立がなされ、取消しの理由が通知され、その指定期間内である平成１４年５月１３日に訂正請求がなされたものである。
　
２．訂正の適否についての判断
(1)訂正の内容
ア．訂正事項ａ
　請求項１の記載を、訂正前の
「【請求項１】
　ミシン本体のフリーアーム部にアタッチメントを着脱可能に装着するようにしたミシンにおいて、
　前記ミシン本体は、前記アタッチメントを前記フリーアーム部の伸長方向に沿って装着位置に案内する案内手段と、前記アタッチメントが前記ミシン本体に装着されたときに前記アタッチメントに嵌合される被係合部と、前記アタッチメントが前記ミシン本体に装着されたときに前記アタッチメントのロック部材に係止されて前記アタッチメントを前記ミシン本体にロックする被係止部とを備え、
　前記被係止部は、前記アタッチメントに設けられた操作部材により前記ロック部材がロック位置からアンロック位置に切換配置されることにより前記ロック部材の係止が解除されるように構成されていることを特徴とするミシン。」から、訂正後の
「【請求項１】
　ミシン本体のフリーアーム部に
、水平移動機構及びそのための電気コネクタを備える
　前記ミシン本体は、前記アタッチメントを前記フリーアーム部の伸長方向に沿って装着位置に案内する案内手段と、前記アタッチメントが前記ミシン本体に装着されたときに前記アタッチメントに嵌合される被係合部と、前記アタッチメントが前記ミシン本体に装着されたときに前記アタッチメントのロック部材に係止されて前記アタッチメントを前記ミシン本体にロックする被係止部と
、前記アタッチメントの電気コネクタと接続可能な電気コネクタとを備え、
、前記ロック部材は、アンロック位置からロック位置に移動して、前記フリーアーム部よりも下方の前記被係止部を上方より係止し、前記フリーアーム部の伸長方向の移動に関連して、前記ミシン本体の前記被係合部は、前記アタッチメントの係合部を差し込まれ、前記ロック部材がアンロック位置からロック位置に移動すると共に、前記アタッチメントの前記電気コネクタについての前記フリーアーム部の伸長方向における移動に関連して、前記ミシン本体の前記電気コネクタは、前記アタッチメントの前記電気コネクタと接続するように構成され
イ，訂正事項ｂ
　請求項６の記載を、訂正前の
「【請求項６】
　ミシン本体のフリーアーム部に着脱可能に装着されるアタッチメント本体を備えた刺繍縫い用アタッチメントにおいて、
　前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材とを備えていることを特徴とする刺繍縫い用アタッチメント。」から、訂正後の
「【請求項６】
　ミシン本体のフリーアーム部に着脱可能に装着されるアタッチメント本体とを備えた刺繍縫い用アタッチメントにおいて、
　前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材
と、水平移動機構と、その水平移動機構のための前記ミシン本体の電気コネクタと接続可能な電気コネクタと
　
前記ロック部材はアンロック位置からロック位置に移動して、前記フリーアーム部よりも下方の前記被係止部を上方より係止し、前記フリーアーム部の伸長方向の移動に関連して、前記刺繍縫い用アタッチメントの係合部は、前記ミシン本体の被係合部に差し込まれ、前記ロック部材がアンロック位置からロック位置に移動すると共に、前記アタッチメントの前記電気コネクタについての前記フリーアーム部の伸長方向における移動に関連して、前記アタッチメントの前記電気コネクタは、前記ミシン本体の電気コネクタと接続するように構成され
ウ．訂正事項ｃ
　請求項１１の記載を、訂正前の
「【請求項１１】
　ミシン本体と、このミシン本体のフリーアーム部に着脱可能に装着される刺繍縫い用アタッチメントとを備えた刺繍縫い用アタッチメント付きミシンにおいて、
　前記ミシン本体は、前記フリーアーム部の伸長方向に沿って前記刺繍縫い用アタッチメントを前記ミシン本体に対する装着位置に案内する案内手段を備え、
　前記刺繍縫い用アタッチメントと前記ミシン本体との間には、前記刺繍縫い用アタッチメントが前記ミシン本体に装着されたときに嵌合する一対の係合部と、前記刺繍縫い用アタッチメントが前記ミシン本体に装着されたときに前記刺繍縫い用アタッチメントと前記ミシン本体とをロックし、ロック位置とアンロック位置との間を移動可能に構成されたロック部材と、前記ロック部材をロック位置からアンロック位置に切換配置する操作部材とが設けられていることを特徴とする刺繍縫い用アタッチメント付きミシン。」を、訂正後の
「【請求項１１】
　ミシン本体と、このミシン本体のフリーアーム部に着脱可能に装着される刺繍縫い用アタッチメントとを備えた刺繍縫い用アタッチメント付きミシンにおいて、
　前記ミシン本体は、前記フリーアーム部の伸長方向に沿って前記刺繍縫い用アタッチメントを前記ミシン本体に対する装着位置に案内する案内手段を備え、
　
前記刺繍縫い用アタッチメントには、水平移動機構が設けられ、前記刺繍縫い用アタッチメントと前記ミシン本体とには、前記水平移動機構のための電気コネクタがそれぞれ設けられ、
、前記ロック部材は前記フリーアーム部よりも下方の被係合部に上方より係合し、前記ロック部材はアンロック位置からロック位置に移動して、前記フリーアーム部よりも下方の前記被係止部を上方より係止し、前記フリーアーム部の伸長方向の移動に関連して、一方の係合部は他方の係合部に差し込まれ、前記ロック部材がアンロック位置からロック位置に移動すると共に、前記刺繍縫い用アタッチメントの前記電気コネクタについての前記フリーアーム部の伸長方向における移動に関連して、前記ミシン本体の前記電気コネクタと前記刺繍縫い用アタッチメントの前記電気コネクタとは接続するように構成されている
エ．訂正事項ｄ
　特許明細書の段落【０００６】の記載を、
「【課題を解決するための手段】
　本発明のミシンは、ミシン本体のフリーアーム部に
、水平移動機構及びそのための電気コネクタを備える
、前記アタッチメントの電気コネクタと接続可能な電気コネクタと
、前記ロック部材は、アンロック位置からロック位置に移動して、前記フリーアーム部よりも下方の前記被係止部を上方より係止し、前記フリーアーム部の伸長方向の移動に関連して、前記ミシン本体の前記被係合部は、前記アタッチメントの係合部を差し込まれ、前記ロック部材がアンロック位置からロック位置に移動すると共に、前記アタッチメントの前記電気コネク夕についての前記フリーアーム部の伸長方向における移動に関連して、前記ミシン本体の前記電気コネクタは、前記アタッチメントの前記電気コネク夕と接続するように構成され
オ．訂正事項ｅ
　特許明細書の段落【０００９】の記載を、
「更にまた、前記被係止部を、凹状に構成することも良い構成である（請求項５の発明）。また、本発明の請求項６の刺繍縫い用アタッチメントは、ミシン本体のフリーアーム部に着脱可能に装着されるアタッチメント本体を備え、前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材と
、水平移動機構と、その水平移動機構のための前記ミシン本体の電気コネクタと接続可能な電気コネクタと
前記ロック部材はアンロック位置からロック位置に移動して、前記フリーアーム部よりも下方の前記被係止部を上方より係止し、前記フリーアーム部の伸長方向の移動に関連して、前記刺繍縫い用アタッチメントの係合部は、前記ミシン本体の被係合部に差し込まれ、前記ロック部材がアンロック位置からロック位置に移動すると共に、別記アタッチメントの前記電気コネクタについての前記フリーアーム部の伸長方向における移動に関連して、前記アタッチメントの前記電気コネクタは、前記ミシン本体の電気コネクタと接続するように構成され
カ．訂正事項ｆ
　特許明細書の段落【０００１０】の記載を、
「さらに、本発明の請求項１１の刺繍縫い用アタッチメント付きミシンは、ミシン本体と、このミシン本体のフリーアーム部に着脱可能に装着され、
水平移動機構が設けられた
前記刺繍縫い用アタッチメントと前記ミシン本体とには、前記水平移動機構のための電気コネクタがそれぞれ設けられ、
、前記ロック部材は前記フリーアーム部よりも下方の被係合部に上方より係合し、前記ロック部材はアンロック位置からロック位置に移動して、前記フリーアーム部よりも下方の前記被係止部を上方より係止し、前記フリーアーム部の伸長方向の移動に関連して、一方の係合部は他方の係合部に差し込まれ、前記ロック部材がアンロック位置からロック位置に移動すると共に、前記刺繍縫い用アタッチメントの前記電気コネクタについての前記フリーアーム部の伸長方向における移動に関連して、前記ミシン本体の前記電気コネク夕と前記刺繍縫い用アタッチメントの前記電気コネク夕とは接続するように構成され
キ．訂正事項ｇ
　特許明細書の段落【０００１１】の記載を、
「【作用】
　本発明の請求項１のミシンによれば、案内手段により案内させながらアタッチメントをミシン本体のフリーアーム部に装着することができるので、ミシン本体に対するアタッチメントの装着位置がずれることがない。そのため、アタッチメントがミシン本体に装着されたときに、前記ミシン本体の被係合部をアタッチメントに簡単且つ正確に嵌合させることができる。また、ミシン本体に装着されたアタッチメントはロック部材によりミシン本体にロックされ、操作部材を操作しなければロック位置にあるロック部材をアンロック位置に切換配置することができない。
ロックされているときには、電気コネク夕どうしが接続されている。
ク．訂正事項ｈ
　特許明細書の段落【０００１４】の記載を、
「本発明の請求項６の刺繍縫い用アタッチメントによれば、案内手段により案内させながらアタッチメント本体をミシン本体のフリーアーム部に装着することができるので、ミシン本体に対するアタッチメント本体の装着位置がずれることがない。そのため、アタッチメント本体をミシン本体に装着したときに、アタッチメント本体の係合部をミシン本体に簡単且つ正確に嵌合させることができる。また、ミシン本体に装着されたアタッチメント本体はロック部材によりミシン本体にロックされ、操作部材を操作しなければロック位置にあるロック部材をアンロック位置に切換配置することができない。
ロックされているときには、電気コネクタどうしが接続されている。
ケ．訂正事項ｉ
　特許明細書の段落【０００１５】の記載を、
「さらに、本発明の請求項１１の刺繍縫い用アタッチメント付きミシンによれば、案内手段により案内させながら刺繍縫い用アタッチメントをミシン本体に装着することができるので、ミシン本体に対する刺繍縫い用アタッチメントの装着位置がずれることがない。
ロックされているときには、電気コネクタどうしが接続されている。
　
(2)訂正の目的の適否、新規事項の有無及び拡張・変更の存否
訂正事項ａについて：
　アタッチメントを「水平移動機構及びそのための電気コネクタを備える」ものとさらに特定し、それに対応させて、ミシン本体をも「前記アタッチメントの電気コネクタと接続可能な電気コネクタと」を備えるものと特定し、さらに、被係止部材を「前記ロック部材は、アンロック位置からロック位置に移動して、前記フリーアーム部よりも下方の前記被係止部を上方より係止し、前記フリーアーム部の伸長方向の移動に関連して、前記ミシン本体の前記被係合部は、前記アタッチメントの係合部を差し込まれ、前記ロック部材がアンロック位置からロック位置に移動すると共に、前記アタッチメントの前記電気コネクタについての前記フリーアーム部の伸長方向における移動に関連して、前記ミシン本体の前記電気コネクタは、前記アタッチメントの前記電気コネクタと接続するように構成され」と特定した訂正であるので、特許請求の範囲の減縮を目的とした訂正である。
　そして上記訂正個所は、特許明細書の段落【００１８】の「フリーアームベッド３ａが左方向に突出するように設けられ」という記載、段落【００１９】の「アタッチメント本体ｌａに設けられた水平移動機構１により」という記載、段落【００２７】の「右方向に滑らせるようにしてスライドさせる。・・・・・・・アタッチメント本体ｌａの底板部１５をフリーアームベッド３ａ下面とミシン本体２の底板部１６との隙間に挿入して、」という記載、段落【００２８】の「装着状態では、・・・・・刺繍縫い用アタッチメント１の右側面部のコネク夕（図示せず）がベッド部３の左面部のコネク夕に差し込まれた状態になる。」という記載、ならびに、図面の記載からみて、願書に添付した明細書または図面に記載された範囲内の訂正であり、実質上特許請求の範囲を拡張、または、変更するものではない。
訂正事項ｂ及び訂正事項ｃについて：
　訂正事項ａと同様な訂正であるので、願書に添付した明細書または図面に記載された範囲内の訂正であり、実質上特許請求の範囲を拡張、または、変更するものではない。
訂正事項ｄ〜ｉについて：
　請求項に関する上記訂正事項ａ〜ｃに対応させた訂正であるので、明りょうでない記載の釈明を目的とする訂正である。そして、これらの訂正事項は、願書に添付した明細書または図面に記載された範囲内の訂正であり、実質上特許請求の範囲を拡張、または、変更するものではない。
　
(3)むすび
　したがって、上記訂正は、特許法第１２０条の４第２項及び同条第３項で準用する第１２６条第２項及び第３項の規定に適合するので、当該訂正を認める。
　
３．特許異議の申立てについての判断
(1)申立ての理由の概要
　特許異議申立人ジューキ株式会社は、甲第１号証（特公昭５３−２２８９１号公報）、甲第２号証（特開平１−１２９８７９号公報）、甲第３号証（特開平２−８００８３号公報）及び甲第４号証（実公昭５３−１３５３１号公報）を提出し、請求項１，２，４及び５に係る発明は甲第１号証に記載された発明であるから、特許法第２９条第１項第３号の規定により特許を受けることができないものであり、また、請求項３に係る発明は、甲第１号証及び甲第２号証に記載された発明から、請求項６，７及び９項に係る発明は、甲第１号証及び甲第３号証に記載された発明から、請求項８に係る発明は、甲第１乃至３号証に記載された発明から、請求項１０に係る発明は、甲第１号証、甲第３号証及び甲第４号証に記載された発明から、請求項１１に係る発明は、甲第１号証及び甲第３号証に記載された発明から、それぞれ、容易に発明できたものであるから、特許法第２９条第２項の規定により特許を受けることができないものであり、したがって、請求項１乃至１１に係る発明の特許は取り消されるべきものと主張している。
　
(2)本件発明
　上記２．で示したように、上記訂正が認められるから、本件の請求項１乃至１１に係る発明は、上記訂正請求に係る訂正明細書の特許請求の範囲の請求項１乃至１１に記載された事項により特定されるとおりのものである。
　
(3)刊行物等
　特許異議申立人が証拠として提出した刊行物には、それぞれ以下のような発明が記載されている。
刊行物１：特公昭５３−２２８９１号公報（異議申立人の提出した甲第１号証）
　ミシン本体のフリーアーム部（ベッド２）には、このフリーアーム部（ベッド２）の伸張方向に沿ってアタッチメント（袖板７）を案内する案内手段（第１図、ベッド２の両側部）が形成されている。また、このフリーアーム部（ベッド２）の基端側には被係止部（孔４，９）が開口し、アタッチメント（袖板７）をフリーアーム部（ベッド２）の伸張方向に沿って装着したときに、この被係止部（孔４，９）にアタッチメント（袖板７）のロック部材（ピン２１、２６）が係止してアタッチメントをミシン本体にロックする。
　このロック部材（ピン２１、２６）は常時ばね（２２、２７）によりロック位置に突出しており、操作部材（レバー２３，２５）を操作して、ロック部材（ピン２１、２６）をロック位置とアンロック位置に切り替えて、ロック部材（ピン２１、２６）の係止を解除可能とする。
　このフリーアーム部（ベッド２）の中間部には、アタッチメント（袖板７）の係合部（当板４５，４６、）の当面４１，４２と係合する被係合部（第１図、当面４１，４２と当設するベッド２の両側部）が配置されている。
　また、フリーアーム部（ベッド２）の先端部には第２の被係合部としての釜カバー３０が第１図に実線で示す閉鎖位置と２点鎖線で示す開放位置とに開閉可能に設けられている。釜カバー３０を閉鎖位置から開放位置に移動すると、アタッチメント（袖板７）に配置した第２の係合部としての突起３３の斜面３２に当設して突起３３を押し上げるように滑りながら移動する。そうするとアタッチメント（袖板７）の先端部が被係止部（孔４，９）を中心にして上方に回動するので、釜カバー３０内のボビン交換が簡単に行える効果がある。
　
刊行物２：特開平１−１２９８７９号公報（異議申立人の提出した甲第２号証）
　第１図に示すミシン本体１のミシンベッドｌａは、同図において２つの部材で構成されるように描かれており、先方側がフリーアーム部であり、手前側の部材が周知の補助ベッドである。
　この電動ミシン本体に、刺繍枠及び刺繍枠駆動装置を備えた刺繍装置を着脱可能に装着するとともに、電動ミシン本体には刺繍装置の装着時に両者を電気的に接続するためコネク夕が設けられ、このコネク夕にはミシン本体から刺繍枠駆動用モー夕に駆動電力を供給する電源ラインが設けられている。
　
刊行物３：特開平２−８００８３号公報（異議申立人の提出した甲第３号証）
　ミシン本体のフリーアーム部に着脱可能に装着される刺繍縫い用のアタッチメントが記載されている。
刊行物４：実公昭５３−１３５３１号公報（異議申立人の提出した甲第４号証）
　ミシン本体のフリーアーム部に着脱可能に装着されるアタッチメントが記載され、その着脱機構がリンク装置を用いて実現しているものが記載されている。
　
(4)対比・判断
　最初に、請求項１に係る発明について検討する。
　上記訂正により、請求項１に係る発明は、「ロック部材」と「被係合部」との両方を備え、その一方の「ロック部材」は上方から被係止部を係止し、他方の「被係合部材」は、フリーアームの伸長方向に沿った移動に関連してアタッチメントの係合部を差し込まれる、すなわち、「ロック部材」のロック位置からアンロック位置に切換配置される方向と、「被係合部」の差し込まれる方向とは異なる方向にあることが特定され、「ロック部材」と「被係合部」とは互いに作用しつつ、ロック部材が不用意に解除されることを抑制するものとなっている。
　さらに、アタッチメントの電気コネクタとミシン本体の電気コネクタとの接続により、電気的接続と同時にロックが作動するという効果も生じるものである。
　ところで、上記刊行物１乃至４には、上記訂正により特定された事項に関しては何ら記載されておらず、また、それを示唆するものもない。
　よって、請求項１に係る発明は、上記刊行物１乃至４の何れにも記載されておらず、また、上記刊行物１乃至４に記載された発明から当業者が容易に発明できたものとも認められない。
　
　他の請求項に係る発明について検討しても、同様の理由から、上記刊行物１乃至４の何れにも記載されておらず、また、上記刊行物１乃至４に記載された発明から当業者が容易に発明できたものとも認められない。
　
(5)むすび
　以上のとおりであるから、特許異議申立ての理由及び証拠によっては、本件請求項１乃至１１に係る特許を取り消すことができない。
　また、他に本件請求項１乃至１１に係る特許を取り消すべき理由を発見しない。
　よって、結論のとおり決定する。
【異議決定日】
平成１４年６月１０日（２００２．６．１０）
【訂正の要旨】
　訂正の要旨
ア．訂正事項ａ
　請求項１の記載を、訂正前の
「【請求項１】
　ミシン本体のフリーアーム部にアタッチメントを着脱可能に装着するようにしたミシンにおいて、
　前記ミシン本体は、前記アタッチメントを前記フリーアーム部の伸長方向に沿って装着位置に案内する案内手段と、前記アタッチメントが前記ミシン本体に装着されたときに前記アタッチメントに嵌合される被係合部と、前記アタッチメントが前記ミシン本体に装着されたときに前記アタッチメントのロック部材に係止されて前記アタッチメントを前記ミシン本体にロックする被係止部とを備え、
　前記被係止部は、前記アタッチメントに設けられた操作部材により前記ロック部材がロック位置からアンロック位置に切換配置されることにより前記ロック部材の係止が解除されるように構成されていることを特徴とするミシン。」から、訂正後の
「【請求項１】
　ミシン本体のフリーアーム部に
、水平移動機構及びそのための電気コネクタを備える
　前記ミシン本体は、前記アタッチメントを前記フリーアーム部の伸長方向に沿って装着位置に案内する案内手段と、前記アタッチメントが前記ミシン本体に装着されたときに前記アタッチメントに嵌合される被係合部と、前記アタッチメントが前記ミシン本体に装着されたときに前記アタッチメントのロック部材に係止されて前記アタッチメントを前記ミシン本体にロックする被係止部と
、前記アタッチメントの電気コネクタと接続可能な電気コネクタとを備え、
　前記被係止部は、前記アタッチメントに設けられた操作部材により前記ロック部材がロック位置からアンロック位置に切換配置されることにより前記ロック部材の係止が解除され
、前記ロック部材は、アンロック位置からロック位置に移動して、前記フリーアーム部よりも下方の前記被係止部を上方より係止し、前記フリーアーム部の伸長方向の移動に関連して、前記ミシン本体の前記被係合部は、前記アタッチメントの係合部を差し込まれ、前記ロック部材がアンロック位置からロック位置に移動すると共に、前記アタッチメントの前記電気コネクタについての前記フリーアーム部の伸長方向における移動に関連して、前記ミシン本体の前記電気コネクタは、前記アタッチメントの前記電気コネクタと接続するように構成され
イ，訂正事項ｂ
　請求項６の記載を、訂正前の
「【請求項６】
　ミシン本体のフリーアーム部に着脱可能に装着されるアタッチメント本体を備えた刺繍縫い用アタッチメントにおいて、
　前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材とを備えていることを特徴とする刺繍縫い用アタッチメント。」から、訂正後の
「【請求項６】
　ミシン本体のフリーアーム部に着脱可能に装着されるアタッチメント本体とを備えた刺繍縫い用アタッチメントにおいて、
　前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材
と、水平移動機構と、その水平移動機構のための前記ミシン本体の電気コネクタと接続可能な電気コネクタと
　
前記ロック部材はアンロック位置からロック位置に移動して、前記フリーアーム部よりも下方の前記被係止部を上方より係止し、前記フリーアーム部の伸長方向の移動に関連して、前記刺繍縫い用アタッチメントの係合部は、前記ミシン本体の被係合部に差し込まれ、前記ロック部材がアンロック位置からロック位置に移動すると共に、前記アタッチメントの前記電気コネクタについての前記フリーアーム部の伸長方向における移動に関連して、前記アタッチメントの前記電気コネクタは、前記ミシン本体の電気コネクタと接続するように構成され
ウ．訂正事項ｃ
　請求項１１の記載を、訂正前の
「【請求項１１】
　ミシン本体と、このミシン本体のフリーアーム部に着脱可能に装着される刺繍縫い用アタッチメントとを備えた刺繍縫い用アタッチメント付きミシンにおいて、
　前記ミシン本体は、前記フリーアーム部の伸長方向に沿って前記刺繍縫い用アタッチメントを前記ミシン本体に対する装着位置に案内する案内手段を備え、
　前記刺繍縫い用アタッチメントと前記ミシン本体との間には、前記刺繍縫い用アタッチメントが前記ミシン本体に装着されたときに嵌合する一対の係合部と、前記刺繍縫い用アタッチメントが前記ミシン本体に装着されたときに前記刺繍縫い用アタッチメントと前記ミシン本体とをロックし、ロック位置とアンロック位置との間を移動可能に構成されたロック部材と、前記ロック部材をロック位置からアンロック位置に切換配置する操作部材とが設けられていることを特徴とする刺繍縫い用アタッチメント付きミシン。」を、訂正後の
「【請求項１１】
　ミシン本体と、このミシン本体のフリーアーム部に着脱可能に装着される刺繍縫い用アタッチメントとを備えた刺繍縫い用アタッチメント付きミシンにおいて、
　前記ミシン本体は、前記フリーアーム部の伸長方向に沿って前記刺繍縫い用アタッチメントを前記ミシン本体に対する装着位置に案内する案内手段を備え、
　
前記刺繍縫い用アタッチメントには、水平移動機構が設けられ、前記刺繍縫い用アタッチメントと前記ミシン本体とには、前記水平移動機構のための電気コネクタがそれぞれ設けられ、
　前記刺繍縫い用アタッチメントと前記ミシン本体との間には、前記刺繍縫い用アタッチメントが前記ミシン本体に装着されたときに嵌合する一対の係合部と、前記刺繍縫い用アタッチメントが前記ミシン本体に装着されたときに前記刺繍縫い用アタッチメントと前記ミシン本体とをロックし、ロック位置とアンロック位置との間を移動可能に構成されたロック部材と、前記ロック部材をロック位置からアンロック位置に切換配置する操作部材とが設けられ
、前記ロック部材は前記フリーアーム部よりも下方の被係合部に上方より係合し、前記ロック部材はアンロック位置からロック位置に移動して、前記フリーアーム部よりも下方の前記被係止部を上方より係止し、前記フリーアーム部の伸長方向の移動に関連して、一方の係合部は他方の係合部に差し込まれ、前記ロック部材がアンロック位置からロック位置に移動すると共に、前記刺繍縫い用アタッチメントの前記電気コネクタについての前記フリーアーム部の伸長方向における移動に関連して、前記ミシン本体の前記電気コネクタと前記刺繍縫い用アタッチメントの前記電気コネクタとは接続するように構成されている
エ．訂正事項ｄ
　特許明細書の段落【０００６】の記載を、
「【課題を解決するための手段】
　本発明のミシンは、ミシン本体のフリーアーム部に
、水平移動機構及びそのための電気コネクタを備える
、前記アタッチメントの電気コネクタと接続可能な電気コネクタと
、前記ロック部材は、アンロック位置からロック位置に移動して、前記フリーアーム部よりも下方の前記被係止部を上方より係止し、前記フリーアーム部の伸長方向の移動に関連して、前記ミシン本体の前記被係合部は、前記アタッチメントの係合部を差し込まれ、前記ロック部材がアンロック位置からロック位置に移動すると共に、前記アタッチメントの前記電気コネクタについての前記フリーアーム部の伸長方向における移動に関連して、前記ミシン本体の前記電気コネクタは、前記アタッチメントの前記電気コネクタと接続するように構成され
オ．訂正事項ｅ
　特許明細書の段落【０００９】の記載を、
「更にまた、前記被係止部を、凹状に構成することも良い構成である（請求項５の発明）。また、本発明の請求項６の刺繍縫い用アタッチメントは、ミシン本体のフリーアーム部に着脱可能に装着されるアタッチメント本体を備え、前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材と
、水平移動機構と、その水平移動機構のための前記ミシン本体の電気コネクタと接続可能な電気コネクタと
前記ロック部材はアンロック位置からロック位置に移動して、前記フリーアーム部よりも下方の前記被係止部を上方より係止し、前記フリーアーム部の伸長方向の移動に関連して、前記刺繍縫い用アタッチメントの係合部は、前記ミシン本体の被係合部に差し込まれ、前記ロック部材がアンロック位置からロック位置に移動すると共に、別記アタッチメントの前記電気コネクタについての前記フリーアーム部の伸長方向における移動に関連して、前記アタッチメントの前記電気コネクタは、前記ミシン本体の電気コネクタと接続するように構成され
カ．訂正事項ｆ
　特許明細書の段落【０００１０】の記載を、
「さらに、本発明の請求項１１の刺繍縫い用アタッチメント付きミシンは、ミシン本体と、このミシン本体のフリーアーム部に着脱可能に装着され、
水平移動機構が設けられた
前記刺繍縫い用アタッチメントと前記ミシン本体とには、前記水平移動機構のための電気コネクタがそれぞれ設けられ、
、前記ロック部材は前記フリーアーム部よりも下方の被係合部に上方より係合し、前記ロック部材はアンロック位置からロック位置に移動して、前記フリーアーム部よりも下方の前記被係止部を上方より係止し、前記フリーアーム部の伸長方向の移動に関連して、一方の係合部は他方の係合部に差し込まれ、前記ロック部材がアンロック位置からロック位置に移動すると共に、前記刺繍縫い用アタッチメントの前記電気コネクタについての前記フリーアーム部の伸長方向における移動に関連して、前記ミシン本体の前記電気コネクタと前記刺繍縫い用アタッチメントの前記電気コネクタとは接続するように構成され
キ．訂正事項ｇ
　特許明細書の段落【０００１１】の記載を、
「【作用】
　本発明の請求項１のミシンによれば、案内手段により案内させながらアタッチメントをミシン本体のフリーアーム部に装着することができるので、ミシン本体に対するアタッチメントの装着位置がずれることがない。そのため、アタッチメントがミシン本体に装着されたときに、前記ミシン本体の被係合部をアタッチメントに簡単且つ正確に嵌合させることができる。また、ミシン本体に装着されたアタッチメントはロック部材によりミシン本体にロックされ、操作部材を操作しなければロック位置にあるロック部材をアンロック位置に切換配置することができない。
ロックされているときには、電気コネクタどうしが接続されている。
ク．訂正事項ｈ
　特許明細書の段落【０００１４】の記載を、
「本発明の請求項６の刺繍縫い用アタッチメントによれば、案内手段により案内させながらアタッチメント本体をミシン本体のフリーアーム部に装着することができるので、ミシン本体に対するアタッチメント本体の装着位置がずれることがない。そのため、アタッチメント本体をミシン本体に装着したときに、アタッチメント本体の係合部をミシン本体に簡単且つ正確に嵌合させることができる。また、ミシン本体に装着されたアタッチメント本体はロック部材によりミシン本体にロックされ、操作部材を操作しなければロック位置にあるロック部材をアンロック位置に切換配置することができない。
ロックされているときには、電気コネクタどうしが接続されている。
ケ．訂正事項ｉ
　特許明細書の段落【０００１５】の記載を、
「さらに、本発明の請求項１１の刺繍縫い用アタッチメント付きミシンによれば、案内手段により案内させながら刺繍縫い用アタッチメントをミシン本体に装着することができるので、ミシン本体に対する刺繍縫い用アタッチメントの装着位置がずれることがない。
ロックされているときには、電気コネクタどうしが接続されている。
（５４）【発明の名称】
ミシン及び刺繍縫い用アタッチメント並びに刺繍縫い用アタッチメント付きミシン
（５７）【特許請求の範囲】
　【請求項１】　ミシン本体のフリーアーム部に
、水平移動機構及びそのための電気コネクタを備える
　前記ミシン本体は、前記アタッチメントを前記フリーアーム部の伸長方向に沿って装着位置に案内する案内手段と、前記アタッチメントが前記ミシン本体に装着されたときに前記アタッチメントに嵌合される被係合部と、前記アタッチメントが前記ミシン本体に装着されたときに前記アタッチメントのロック部材に係止されて前記アタッチメントを前記ミシン本体にロックする被係止部と
、前記アタッチメントの電気コネクタと接続可能な電気コネクタと
　前記被係止部は、前記アタッチメントに設けられた操作部材により前記ロック部材がロック位置からアンロック位置に切換配置されることにより前記ロック部材の係止が解除され
、前記ロック部材は、アンロック位置からロック位置に移動して、前記フリーアーム部よりも下方の前記被係止部を上方より係止し、前記フリーアーム部の伸長方向の移動に関連して　前記ミシン本体の前記被係合部は、前記アタッチメントの係合部を差し込まれ、前記ロック部材がアンロック位置からロック位置に移動すると共に、前記アタッチメントの前記電気コネクタについての前記フリーアーム部の伸長方向における移動に関連して、前記ミシン本体の前記電気コネクタは、前記アタッチメントの前記電気コネクタと接続するように構成され
　【請求項２】　前記アタッチメントは、前記フリーアーム部に嵌合されるように構成され、
　前記案内手段は、前記フリーアーム部の表面のうち前記フリーアーム部の伸長方向に延びる２個の案内面から構成され、前記案内面のそれぞれと対向する前記アタッチメントの２面を前記案内面に沿わせることにより前記アタッチメントを装着位置へ案内するように構成されていることを特徴とする請求項１記載のミシン。
　【請求項３】　前記被係合部は、前記アタッチメントの電気コネクタに嵌合される電気コネクタから構成されていることを特徴とする請求項１または２記載のミシン。
　【請求項４】　前記被係止部は、前記フリーアーム部よりも下方部に設けられていることを特徴とする請求項１ないし３のいずれかに記載のミシン。
　【請求項５】　前記被係止部は、凹状に構成されていることを特徴とする請求項１ないし４のいずれかに記載のミシン。
　【請求項６】　ミシン本体のフリーアーム部に着脱可能に装着されるアタッチメント本体とを備えた刺繍縫い用アタッチメントにおいて、
　前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材と
、水平移動機構と、その水平移動機構のための前記ミシン本体の電気コネクタと接続可能な電気コネクタと
　
前記ロック部材はアンロック位置からロック位置に移動して、前記フリーアーム部よりも下方の前記被係止部を上方より係止し、前記フリーアーム部の伸長方向の移動に関連して　前記刺繍縫い用アタッチメントの係合部は、前記ミシン本体の被係合部に差し込まれ、前記ロック部材がアンロック位置からロック位置に移動すると共に、前記アタッチメントの前記電気コネクタについての前記フリーアーム部の伸長方向における移動に関連して、前記アタッチメントの前記電気コネクタは、前記ミシン本体の電気コネクタと接続するように構成され
　【請求項７】　前記外殻ケースは、前記フリーアーム部に嵌合される凹部を有すると共に、前記案内手段は前記フリーアーム部の表面のうち装着方向に延びる２個の案内面から構成され、
　前記アタッチメント本体は、前記外殻ケースの凹部の内側面のうち前記案内面のそれぞれと対向する２面を前記案内面に沿わせることにより装着位置へ案内されるように構成されていることを特徴とする請求項６記載の刺繍縫い用アタッチメント。
　【請求項８】　前記係合部は、前記ミシン本体の電気コネクタに嵌合する電気コネクタから構成されていることを特徴とする請求項６または７記載の刺繍縫い用アタッチメント。
　【請求項９】　前記操作部材は、アタッチメント本体に設けられた押釦式の操作部を操作することにより前記ロック部材をロック位置からアンロック位置に切換配置させるように構成されていることを特徴とする請求項６ないし８のいずれかに記載の刺繍縫い用アタッチメント。
　【請求項１０】　前記操作部材は、リンク機構を介して前記ロック部材をロック位置からアンロック位置に切換配置させるように構成されていることを特徴とする請求項６ないし９のいずれかに記載の刺繍縫い用アタッチメント。
　【請求項１１】　ミシン本体と、このミシン本体のフリーアーム部に着脱可能に装着される刺繍縫い用アタッチメントとを備えた刺繍縫い用アタッチメント付きミシンにおいて、
　前記ミシン本体は、前記フリーアーム部の伸長方向に沿って前記刺繍縫い用アタッチメントを前記ミシン本体に対する装着位置に案内する案内手段を備え、
　
前記刺繍縫い用アタッチメントには、水平移動機構が設けられ、前記刺繍縫い用アタッチメントと前記ミシン本体とには、前記水平移動機構のための電気コネクタがそれぞれ設けられ、
　前記刺繍縫い用アタッチメントと前記ミシン本体との間には、前記刺繍縫い用アタッチメントが前記ミシン本体に装着されたときに嵌合する一対の係合部と、前記刺繍縫い用アタッチメントが前記ミシン本体に装着されたときに前記刺繍縫い用アタッチメントと前記ミシン本体とをロックし、ロック位置とアンロック位置との間を移動可能に構成されたロック部材と、前記ロック部材をロック位置からアンロック位置に切換配置する操作部材とが設けられ
、前記ロック部材は前記フリーアーム部よりも下方の被係合部に上方より係合し、前記ロック部材はアンロック位置からロック位置に移動して、前記フリーアーム部よりも下方の前記被係止部を上方より係止し、前記フリーアーム部の伸長方向の移動に関連して、一方の係合部は他方の係合部に差し込まれ、前記ロック部材がアンロック位置からロック位置に移動すると共に、前記刺繍縫い用アタッチメントの前記電気コネクタについての前記フリーアーム部の伸長方向における移動に関連して、前記ミシン本体の前記電気コネクタと前記刺繍縫い用アタッチメントの前記電気コネクタとは接続するように構成されている
【発明の詳細な説明】
　【０００１】
　【産業上の利用分野】
　本発明は、ミシン本体に、アタッチメントを着脱可能に装着するようにしたミシン及びミシン本体に着脱可能に装着される刺繍縫い用アタッチメント並びに刺繍縫い用アタッチメント付きミシンに関する。
　【０００２】
　【従来の技術】
　最近の卓上型ミシンの中には、専用の刺繍縫い用アタッチメントをミシン本体に装着することによって、刺繍縫いを行えるようにしたものがある。この刺繍縫い用アタッチメントは、布を保持する刺繍枠と、この刺繍枠をＸ軸方向とＹ軸方向に移動させるＸ軸送りモータ及びＹ軸送りモータ等の種々の部品を備えていてかなりの重量があるので、誤って床等に落とすと、破損したり故障しやすい。
　【０００３】
　そのため、取扱い説明書に使用上の注意事項として記載されているように、ミシン本体を持ち運ぶときには、刺繍縫い用アタッチメントの脱落防止のために、必ずミシン本体から刺繍縫い用アタッチメントを取り外さなければならないようになっている。
　【０００４】
　【発明が解決しようとする課題】
　しかしながら、使用者によっては取扱い説明書に記載されている正規の取扱い方をせず、ときには誤ってミシン本体に刺繍縫い用アタッチメントを装着したまま持ち上げてしまうことがある。この場合、持ち上げたミシン本体が僅かに傾いた程度でも、刺繍用アタッチメントは自身の重みでミシン本体から抜け落ちてしまい、その落下の衝撃で破損したり、故障するおそれがある。また、万一使用者の足の上にでも落下すれば、怪我をするおそれもある。
　【０００５】
　本発明は、上記事情を考慮してなされたもので、従ってその目的は、たとえアタッチメントをミシン本体に装着したまま持ち上げたとしても、アタッチメントの脱落を確実に防止できて、アタッチメントの破損・故障防止及び安全性向上を図り得るミシン及び刺繍縫い用アタッチメント並びに刺繍縫い用アタッチメント付きミシンを提供することにある。
　【０００６】
　【課題を解決するための手段】
　本発明のミシンは、ミシン本体のフリーアーム部に
、水平移動機構及びそのための電気コネクタを備える
、前記アタッチメントの電気コネクタと接続可能な電気コネクタと
、前記ロック部材は、アンロック位置からロック位置に移動して、前記フリーアーム部よりも下方の前記被係止部を上方より係止し、前記フリーアーム部の伸長方向の移動に関連して、前記ミシン本体の前記被係合部は、前記アタッチメントの係合部を差し込まれ、前記ロック部材がアンロック位置からロック位置に移動すると共に、前記アタッチメントの前記電気コネクタについての前記フリーアーム部の伸長方向における移動に関連して、前記ミシン本体の前記電気コネクタは、前記アタッチメントの前記電気コネクタと接続するように構成され
　【０００７】
　この場合、前記アタッチメントを、前記フリーアーム部に嵌合されるように構成し、前記案内手段を、前記フリーアーム部の表面のうち前記フリーアーム部の伸長方向に延びる２個の案内面から構成すると共に、前記案内面のそれぞれと対向する前記アタッチメントの２面を前記案内面に沿わせることにより前記アタッチメントを装着位置へ案内するように構成すると良い（請求項２の発明）。
　【０００８】
　また、前記被係合部を、前記アタッチメントの電気コネクタに嵌合される電気コネクタから構成することも良い構成である（請求項３の発明）。
　更に、前記被係止部は、前記フリーアーム部よりも下方部に設けると良い（請求項４の発明）。
　【０００９】
　更にまた、前記被係止部を、凹状に構成することも良い構成である（請求項５の発明）。また、本発明の請求項６の刺繍縫い用アタッチメントは、ミシン本体のフリーアーム部に着脱可能に装着されるアタッチメント本体を備え、前記アタッチメント本体は、前記フリーアーム部に設けられた案内手段により前記フリーアーム部の伸長方向に沿って前記ミシン本体に対する装着位置に案内されるように構成された外殻ケースと、前記フリーアーム部に装着されたときに前記ミシン本体に嵌合する係合部と、前記フリーアーム部に装着されたときに前記ミシン本体の被係止部に係止して前記アタッチメント本体を前記ミシン本体にロックし、ロック位置とアンロック位置との間を移動可能に構成されたロック部材と、前記ロック部材をロック位置からアンロック位置に切換配置する操作部材と
、水平移動機構と、その水平移動機構のための前記ミシン本体の電気コネクタと接続可能な電気コネクタと
前記ロック部材はアンロック位置からロック位置に移動して、前記フリーアーム部よりも下方の前記被係止部を上方より係止し、前記フリーアーム部の伸長方向の移動に関連して、前記刺繍縫い用アタッチメントの係合部は、前記ミシン本体の被係合部に差し込まれ、前記ロック部材がアンロック位置からロック位置に移動すると共に、前記アタッチメントの前記電気コネクタについての前記フリーアーム部の伸長方向における移動に関連して、前記アタッチメントの前記電気コネクタは、前記ミシン本体の電気コネクタと接続するように構成され
　【００１０】
　さらに、本発明の請求項１１の刺繍縫い用アタッチメント付きミシンは、ミシン本体と、このミシン本体のフリーアーム部に着脱可能に装着され、
水平移動機構が設けられた
前記刺繍縫い用アタッチメントと前記ミシン本体とには、前記水平移動機構のための電気コネクタがそれぞれ設けられ、
、前記ロック部材は前記フリーアーム部よりも下方の被係合部に上方より係合し、前記ロック部材はアンロック位置からロック位置に移動して、前記フリーアーム部よりも下方の前記被係止部を上方より係止し、前記フリーアーム部の伸長方向の移動に関連して、一方の係合部は他方の係合部に差し込まれ、前記ロック部材がアンロック位置からロック位置に移動すると共に、前記刺繍縫い用アタッチメントの前記電気コネクタについての前記フリーアーム部の伸長方向における移動に関連して、前記ミシン本体の前記電気コネクタと前記刺繍縫い用アタッチメントの前記電気コネクタとは接続するように構成され
　【００１１】
　【作用】
　本発明の請求項１のミシンによれば、案内手段により案内させながらアタッチメントをミシン本体のフリーアーム部に装着することができるので、ミシン本体に対するアタッチメントの装着位置がずれることがない。そのため、アタッチメントがミシン本体に装着されたときに、前記ミシン本体の被係合部をアタッチメントに簡単且つ正確に嵌合させることができる。また、ミシン本体に装着されたアタッチメントはロック部材によりミシン本体にロックされ、操作部材を操作しなければロック位置にあるロック部材をアンロック位置に切換配置することができない。
ロックされているときには、電気コネクタどうしが接続されている。
　【００１２】
　また、請求項２のミシンによれば、案内手段として特別な部材を設けずに済み、しかも、アタッチメントを装着位置に向かって確実に案内することができる。
　更に、本発明のミシンでは、案内手段によりアタッチメントを確実に装着位置に案内しつつミシン本体に装着することができる構成としたため、請求項３のミシンのように、被係合部が電気コネクタである場合でも、前記電気コネクタをアタッチメントの電気コネクタに確実に嵌合することができる。
　【００１３】
　更にまた、請求項４のミシンによれば、被係止部をフリーアーム部の下方部に設けたため、縫製作業の邪魔になる凹凸をフリーアーム部に設けなくても済む。
　また、請求項５のミシンによれば、被係止部の構成を簡単にすることができる。
　【００１４】
　本発明の請求項６の刺繍縫い用アタッチメントによれば、案内手段により案内させながらアタッチメント本体をミシン本体のフリーアーム部に装着することができるので、ミシン本体に対するアタッチメント本体の装着位置がずれることがない。
ロックされているときには、電気コネクタどうしが接続されている。
　【００１５】
「　さらに、本発明の請求項１１の刺繍縫い用アタッチメント付きミシンによれば、案内手段により案内させながら刺繍縫い用アタッチメントをミシン本体に装着することができるので、ミシン本体に対する刺繍縫い用アタッチメントの装着位置がずれることがない。
ロックされているときには、電気コネクタどうしが接続されている。
　【００１６】
　【実施例】
　以下、本発明の一実施例を図面を参照して説明する。まず、図２に基づいて刺繍縫い用アタッチメント１を装着するミシン本体２の概略構成について説明する。ミシン本体２は、ベッド部３と、このベッド部３の右端部から上方左方に延びるアーム部４とから構成されている。このアーム部４の先端部下部には縫い針５を備えた針棒６が設けられている。この針棒６は、ミシン本体２内に設けられたミシンモータ（図示せず）の駆動力によって上下動されるようになっている。
　【００１７】
　そして、前記アーム部４の先端部下部のうち針棒６の直ぐ後方には、押え棒７が上位置と下位置との間で位置切換え可能に設けられ、この押え棒７の下端部に布押え８が着脱可能に取り付けられている。また、アーム部４の上面部にはミシンハンドル９が設けられており、このミシンハンドル９を持ってミシン本体２の持ち運びをするようになっている。
　【００１８】
　また、前記ベッド部３には筒形のフリーアーム部たるフリーアームベッド３ａが左方向に突出するように設けられ、このフリーアームベッド３ａ上に針板１０が設けられている。通常の縫製を行う場合には、フリーアームベッド３ａに補助テーブル（図示せず）を装着する。そして、この補助テーブルを取り外せば、フリーアームベッド３ａに袋物や筒物を通して縫うことができ、また、刺繍縫いを行う場合には、このフリーアームベッド３ａに刺繍縫い用アタッチメント１を装着する。
　【００１９】
　次に、刺繍縫い用アタッチメント１の概略構成について述べる。刺繍縫い用アタッチメント１は、針板１０上に加工布を保持するための刺繍枠１１を備えている。この刺繍枠１１は、アタッチメント本体１ａに設けられた水平移動機構１２により水平方向に自在に移動されるようになっている。この水平移動機構１２は、Ｘ軸方向移動体１３を、刺繍縫い用アタッチメント１の外殻ケースに内蔵されたＸ軸送りモータ（図示せず）によりＸ軸方向（左右方向）に移動させると共に、前記刺繍枠１１を支持するＹ軸方向移動体１４を同じく内蔵されたＹ軸送りモータ（図示せず）によりＸ軸方向移動体１３に沿ってＹ軸方向（前後方向）に移動させる。
　【００２０】
　そして、刺繍縫い用アタッチメント１をフリーアームベッド３ａに装着した状態では、アタッチメント本体１ａの底板部１５がフリーアームベッド３ａ下面とミシン本体２の底板部１６との隙間１７に挿入され、フリーアームベッド３ａがアタッチメント本体１ａに形成された凹部１８に嵌まり込んだ状態となる。従って、フリーアームベッド３ａの前後側面部に凹部１８の前後の内側面部を沿わせながらアタッチメント本体１ａを装着方向（右方向）へスライドさせることにより、アタッチメント本体１ａがフリーアームベッド３ａに装着される。従って、本実施例においては、フリーアームベッド３ａの前後側面部が案内手段たる案内面として機能する。
　【００２１】
　また、アタッチメント本体１ａがフリーアームベッド３ａに装着された状態では、アタッチメント本体１ａの右側面部のコネクタ（図示せず）がベッド部３の左側面部のコネクタ１９（図３参照）に差し込まれた状態となり、これにより刺繍縫い用アタッチメント１とミシン本体２とが電気的にも接続される。従って、本実施例においては、アタッチメント本体１ａの右側面部のコネクタが係合部として、ベッド部３のコネクタ１９が被係合部として機能する。また、両コネクタから一対の係合部が構成される。
　【００２２】
　一方、アタッチメント本体１ａの底板部１５にはロック部材２０が設けられており、フリーアームベット３ａに刺繍縫い用アタッチメント１を装着したときに、刺繍縫い用アタッチメント１をミシン本体２にロックするようになっている。また、アタッチメント本体１ａには操作部材２１が組み込まれており、この操作部材２１を操作して前記ロック部材２０をロック位置からアンロック位置へと切換配置させて、刺繍縫い用アタッチメント１とミシン本体２とのロックを解除するようになっている。以下、前記ロック部材２０と操作部材２１について詳細に説明する。
　【００２３】
　まず、ロック部材２０は、弾性変形可能な合成樹脂より形成されており、刺繍縫い用アタッチメント１の底板部１５の上面よりも一段下がった部位に底板部１５と一体に形成されている。そして、このロック部材２０の先端部には、先端側に傾斜面２０ｂを有する係止爪部２０ａが下向きに形成されている。
　【００２４】
　このロック部材２０の係止爪部２０ａに対応して、ミシン本体２の底板部１６には被係止部たる係止穴２２が形成されており、刺繍縫い用アタッチメント１を装着したときに、前記ロック部材２０の係止爪部２０ａが係止穴２２と係止してロック状態になる。
　【００２５】
　また、操作部材２１は、上端に操作部たる操作ボタン２３が固定された縦リンク２４と、この縦リンク２４の下端部にかしめピン２５を介して回動可能に連結された横リンク２６とから構成されている。これら縦リンク２４，横リンク２６からリンク機構が構成されている。
　【００２６】
　前記操作ボタン２３は、アタッチメント本体１ａの上面部に設けられたガイド孔２８内に配置されている。このとき、前記操作ボタン２３は、アタッチメント本体１ａの上面部から僅かに突出するように構成されており、前記操作ボタン２３を押せば、縦リンク２４がそれに伴って下方へと押し下げられるようになっている。一方、横リンク２６は、中央部に設けられた図示しない固定軸（刺繍縫い用アタッチメント１側に固定されている）を介して回動可能に支持され、縦リンク２４が押し下げられたときに前記固定軸を中心に前端側が持ち上がる向きに回動するようになっている。また、横リンク２６の前端部には、前記ロック部材２０の下面に接触するように上方に突出する突部２６ａが形成されている。
　【００２７】
　次に、上記構成の作用について説明する。刺繍縫いを行う場合には、まず、補助テーブルをミシン本体２のフリーアームベッド３ａから取り外した後、刺繍縫い用アタッチメント１をフリーアームベッド３ａの左側に仮置きする。この状態で、フリーアームベッド３ａの前後両側面部に凹部１８の前後の内側面部をそれぞれ沿わせながら刺繍縫い用アタッチメント１を机上面２７に沿ってそのまま右方向に滑らせるようにしてスライドさせる。この結果、刺繍縫い用アタッチメントは前後にずれることなくフリーアームベッド３ａに装着される。そして、アタッチメント本体１ａの底板部１５をフリーアームベッド３ａ下面とミシン本体２の底板部１６との隙間１７に挿入して、刺繍縫い用アタッチメント１をフリーアームベッド３ａに装着する。
　【００２８】
　この装着の際、ロック部材２０がその弾性範囲内で撓んで、アンロック位置からロック位置へと移動するので、ロック部材２０の係止爪部２０ａはミシン本体の底板部１６の係止穴２２に嵌り込んで係止状態になり、刺繍縫い用アタッチメント１はミシン本体２にロックされる。更に、装着状態では、刺繍縫い用アタッチメント１の凹部１８がフリーアームベッド３ａに嵌まり込むと共に、刺繍縫い用アタッチメント１の右側面部のコネクタ（図示せず）がベッド部３の左側面部のコネクタ１９に差し込まれた状態になる。これにより、刺繍縫い用アタッチメント１は、ミシン本体２に電気的にも接続されるので、この後は刺繍ミシンとして機能するようになる。
　【００２９】
　逆に、刺繍縫い用アタッチメント１をミシン本体２から取り外すときは、操作部材２１の操作ボタン２３を手で押し下げて、ロック部材２０をロック位置からアンロック位置へと切換配置させる。この操作により、縦リンク２４が押し下げられるので、横リンク２６が固定軸（図示せず）を中心に回動し、その突部２６ａが上方へ持ち上がる。これにより、ロック部材２０が横リンク２６の突部２６ａにより押し上げられるので、ロック部材２０の係止爪部２０ａが係止穴２２から持ち上がりロックが解除されることになる。この状態で、刺繍縫い用アタッチメント１を机上面２７上を滑らせながらそのまま左方向に引き出せば良い。
　【００３０】
　この様に、一度刺繍縫い用アタッチメント１をミシン本体２に装着した後は、操作部材２１を操作してロック部材２０をロック位置からアンロック位置へと切換配置しなければロックは解除されない。このため、例えば、使用者が誤って刺繍縫い用アタッチメント１を装着したままでミシン本体２を持ち上げたとしても、刺繍縫い用アッタチメント１がその自重により抜け落ちることはなく、刺繍縫い用アタッチメント１の破損・故障を防止でき、安全性が大幅に向上する。
　【００３１】
　また、刺繍縫い用アタッチメント１とミシン本体２とのロックを解除する場合には、操作ボタン２３を押すだけのワンタッチ操作で簡単にロック解除することができるので、使い勝手を損なうことがない。
　【００３２】
　尚、本実施例では刺繍縫い用アタッチメント１側にロック部材２０を設けるようにしたが、これとは逆にミシン本体２側にロック部材を設けるようにしても良い。この場合、刺繍縫い用アタッチメント１側の底板部１５にロック部材と係止させる係止穴を設ければ良い。
　【００３３】
　また、本実施例では、刺繍縫い用アタッチメント１のミシン本体２への装着の際、ロック部材２０が自身の弾性によりアンロック位置からロック位置へと移動するようにしたが、操作部材２１の操作によりアンロック位置からロック位置へと切換わるような構成としても良い。
　【００３４】
　その他、本発明は、補助テーブルの装着構造にも、本実施例と同様のロック機構を設ける構成としても良い等、要旨を逸脱しない範囲内で種々の変形が可能である。
　【００３５】
　【発明の効果】
　以上の説明から明らかのように、本発明のミシンは、案内手段により案内させながらアタッチメントをミシン本体に装着するように構成したので、ミシン本体に対するアタッチメントの装着位置がずれることがなく、ミシン本体の被係合部をアタッチメントに簡単且つ正確に嵌合させることができる。また、ミシン本体に装着されたアタッチメントはロック部材によりミシン本体にロックされ、しかも、そのロックは操作部材を操作しなければ解除できないように構成したので、ロック部材によるロックを強固なものとすることができ、アタッチメントを装着したままミシン本体を持ち上げても、アタッチメントがミシン本体から抜け落ちることを確実に防止でき、アタッチメントの破損・故障防止及び安全性向上を図り得るという優れた効果を奏する。
　【００３６】
　また、本発明の刺繍縫い用アタッチメントは、案内手段により案内させながらアタッチメント本体をミシン本体に装着するように構成したので、ミシン本体に対するアタッチメント本体の装着位置がずれることがなく、アタッチメント本体とミシン本体に設けられた一対の係合部を正確に嵌合させることができる。また、ミシン本体に装着されたアタッチメント本体はロック部材によりミシン本体にロックされ、しかもそのロックは操作部材を操作しなければ解除できないように構成したので、ロック部材によるロックを強固なものとすることができ、アタッチメント本体を装着したままミシン本体を持ち上げたとしても、アタッチメント本体がミシン本体から抜け落ちることを確実に防止でき、破損・故障防止及び安全性向上を図り得るという優れた効果を奏する。
　【００３７】
　さらに、本発明の刺繍縫い用アタッチメント付きミシンは、案内手段により案内させながら刺繍縫い用アタッチメントをミシン本体に装着するように構成したので、ミシン本体に対する刺繍縫い用アタッチメントの装着位置がずれることがなく、刺繍縫い用アタッチメントとミシン本体に設けられた一対の係合部を正確に嵌合させることができる。また、ミシン本体に装着された刺繍縫い用アタッチメントとミシン本体とはロック部材によりロックされ、しかも、そのロックは操作部材を操作しなければ解除できないように構成したので、ミシン本体と刺繍縫い用アタッチメントとのロックを強固なものとすることができ、刺繍縫い用アタッチメントを装着したままミシン本体を持ち上げたとしても、刺繍縫い用アタッチメントがミシン本体から抜け落ちることを確実に防止でき、刺繍縫い用アタッチメントの破損・故障防止及び安全性向上を図り得るという優れた効果を奏する。
【図面の簡単な説明】
　【図１】
　本発明の一実施例を示す要部の拡大縦断正面図
　【図２】
　刺繍縫い用アタッチメントを装着したミシンの全体斜視図
　【図３】
　刺繍縫い用アタッチメントをミシン本体に装着する前の状態を部分的に破断して示す斜視図
　【符号の説明】
　１は刺繍縫い用アタッチメント（アタッチメント）、１ａはアタッチメント本体、２はミシン本体、３ａはフリーアームベッド、９はミシンハンドル、１１は刺繍枠、１２は水平移動機構、１９はコネクタ（係合部）、２０はロック部材、２０ａは係止爪部、２０ｂは傾斜面、２１は操作部材、２２は係止穴（被係止部）、２３は操作ボタン（操作部）、２４は縦リンク（リンク機構）、２６は横リンク（リンク機構）、２６ａは突部、２７は机上面、２８はガイド孔である。